(57)【要約】      （修正有）【課題】子供の周りに巻き付けることができ、かつパッドを巻かれた状態で持ち運ぶことを容易にする子供用パッドアセンブリを提供する。【解決手段】シートパッドアセンブリ１０はまた、上端部１２および下端部１４から離れた位置において左側部１６および右側部１８それぞれから外側に延びるほぼ管状の左右のアーム４０、４６を有する。アーム４０、４６は、ミクロビーズまたは繊維充填材により作製されることが好ましいフレキシブルな内部と、パッドアセンブリ１０の外側カバーに外観上類似するまたはこれと同一である管状カバー３９とを有する。各アーム４０、４６の管状カバー３９は、その長さの殆どにおいてほぼ一定の第１の幅を有する。しかし、アームは、アセンブリの左側部１６および右側部１８から遠く離れた先端部４２、４８を有する。先端部４２、４８は、第１の幅より大きい第２の幅を有する。先端部４２、４８は、多くの形をとり得る。【選択図】図１
2012232119.tif 000002
【特許請求の範囲】
【請求項１】
対向する前面および後面と、前記前面と後面の間において延び、対向する上縁部および下縁部と、前記前面と後面の間および前記上縁部と下縁部の間において延び、対向する第１の側縁部および第２の側縁部とを有する弾力性フレキシブルパッドと、
前記パッドの前記第１の縁部から外側に延び、前記パッドの前記第１の側縁部と第２の側縁部の間の距離の半分より大きな長さを有する第１の細長いアーム、および前記パッドの前記第２の縁部から外側に延び、前記パッドの前記第１の側縁部と第２の側縁部の間の距離の半分より大きな長さを有する第２の細長いアームと、
前記パッドから離れた位置において少なくとも前記第１のアームに設けられ、前記パッドから離れた位置において前記第１のアームと第２のアームを互いに連結させるための取り付け手段と、を備えるボディサポートパッドアセンブリ。
【請求項２】
前記第１のアームにおける前記パッドから離れた位置において接続された第１の手、および前記第２のアームにおける前記パッドから離れた位置において接続された第２の手をさらに備える、請求項１に記載のボディサポートパッドアセンブリ。
【請求項３】
前記アームのそれぞれは、そのアームが延びる方向に対して垂直な方向に測定される幅を有し、前記手のそれぞれは、対応するアームの前記幅より大きい幅を有する、請求項２に記載のボディサポートパッドアセンブリ。
【請求項４】
前記取り付け手段は、前記第１のアームにおける前記第１の手にほぼ隣接する位置に、前記第２のアームにおける前記第２の手にほぼ隣接する部分と取り外し可能に係合するように構成された弾性ループを備える、請求項２または３に記載のボディサポートパッドアセンブリ。
【請求項５】
前記パッドの前記上縁部および下縁部の少なくとも１つから延び、前記パッドを巻かれた状態に保持するための少なくとも１つのストラップをさらに備える、請求項１から４のいずれか一項に記載のボディサポートパッドアセンブリ。
【請求項６】
前記パッドの上面に顔のしるしをさらに備える、請求項１から５のいずれか一項に記載のボディサポートパッドアセンブリ。
【請求項７】
前記パッドが、内側クッションおよび外側カバーを備える、請求項１から６のいずれか一項に記載のボディサポートパッドアセンブリ。
【請求項８】
前記アームが、前記パッドの前記外側カバーに連結されている、請求項７に記載のボディサポートパッドアセンブリ。
【請求項９】
前記カバーは、選択された材料により形成され、前記アームは、前記カバーの前記選択された材料により構成されている、請求項７または８に記載のボディサポートパッドアセンブリ。
【請求項１０】
前記内側クッションは発泡材料により構成されている、請求項７から９のいずれか一項に記載のボディサポートパッドアセンブリ。
【請求項１１】
前記発泡材料が粘弾性発泡体である、請求項１０に記載のボディサポートパッドアセンブリ。
【請求項１２】
前記上縁部および下縁部の少なくとも１つから延びるボディ付属物をさらに備える、請求項１から１１のいずれか一項に記載のボディサポートパッドアセンブリ。
【請求項１３】
前記ボディ付属物が、つの、耳または足を含む、請求項１２に記載のボディサポートパッドアセンブリ。
【請求項１４】
シートと、
請求項１から１３のいずれか一項に記載の前記サポートパッドアセンブリと、を備え、
前記サポートパッドアセンブリは、前記シート上に位置する後面と、前記後面に対向する前面とを備えた弾力性パッドを有し、
前記パッドは、対向する第１の側縁部および第２の側縁部と、前記パッドの前記第１の側縁部および第２の側縁部からそれぞれ延びて対向する第１のアームおよび第２のアームとを有し、
これらのアームは、前記シートに座る子供の周りに巻き付けるのに十分長い合計長さを有し、
前記アームの少なくとも１つは、前記パッドから離れた位置において、これらのアームを互いに取り外し可能に結合し、かつ前記シートに座る子供を少なくとも部分的に包むための取り付け手段を有する、子供用シートアセンブリ。
【発明の詳細な説明】
【技術分野】
【０００１】
本発明は、シート用携帯式アクセサリーに関する。
【背景技術】
【０００２】
航空機、列車、バス、車またはトラックなどの輸送車両における旅行は快適とは言えず、長旅になると極めて不快になり得る。多くの旅行者は、輸送機関のシート、特に短時間の旅を対象としたシートに座った１、２時間後には極めて不快になる。長時間の飛行を行う航空機には、特にビジネスクラスおよびファーストクラスにおいてより快適なシートが設けられることがある。これらのシートは、一般的な輸送機関のシートより幅が広くリクライニングできることが多い。しかし、これらのグレードアップされたシートであっても長時間の旅では不快になる。
【０００３】
大陸間の飛行は、多くの場合１２時間を超えて続く。多くのビジネス旅行者は、夜通し飛行機で移動をして目的地に到着することが多く、到着するとすぐにビジネス会議に合わせて機敏に働くことが求められる。したがって、ビジネス旅行者が目的地に到着した際には十分に休息がとれていることが重要である。これは、一般的な航空機のシートでは多くの場合不可能である。
【０００４】
多くの旅行者は、快適性の考慮に加えて、輸送機関のシートの清潔さを気にかける。一般的に、航空機は、何度かの飛行を経てから十分な清掃が行われる。旅行者は、自分達の前に誰が輸送機関のシートを使用したか、その使用者が衛生的かつ健康であるかどうかを知ることはほとんどない。これは、旅行者が外国において病気になることを心配する大陸間の飛行において特に懸念されることである。汚れへの懸念に加えて、旅行者は、飛行期間中、自身のシートの前の占有者の健康について心配することがあり、前の占有者が伝染性の疾患を有していたかどうかについて心配することもある。
【０００５】
少なくとも前述の理由のため、シートの快適性を向上させ、占有者とシートの表面の間にさえぎるものを作り出すためにシートパッドアセンブリを有していることが望ましい。そのようなシートパッドアセンブリは、米国特許第７，４６１，８９４号において提示されており、その開示内容全体は参照によって本明細書に組み込まれる。米国特許第７，４６１，８９４号において開示されているシートパッドアセンブリは、粘弾性発泡体により形成されたクッションを備え、旅行用シートの寸法に適合するように寸法設定されている。また、米国特許第７，４６１，８９４号のシートパッドアセンブリは、パッドをコイル状に巻いた状態に保つためのストラップと、持ち運び用肩ストラップを備えたカバーとを有する。米国特許第７，４６１，８９４号に開示されたシートパッドアセンブリは、乗客に対して快適性を与える一方で、カバーおよび肩ストラップが無ければ持ち運びすることは難しくなり得る。
【０００６】
米国特許第７，４６１，８９４号に示された従来技術のシートパッドアセンブリは、長い旅をするビジネス旅行者などの成人の旅行者を考慮して設計されている。長い旅は、明らかに成人またはビジネス旅行者に限定されるものではない。子供を伴う多くの家族が、航空機、列車、バスまたは車で長い旅をする。小さい子供を長い旅の間車両のシートに拘束することは、親および同乗者を疲れさせ得る。したがって、子供を楽しませ、子供の快適性を保つことが、極めて重要である。
【０００７】
家にいるとき、子供は、多くの場合、玩具、ぬいぐるみおよびビデオが絶え間なく与えられて退屈していない。玩具およびぬいぐるみは、テレビショーまたは映画に関連したテーマを有することが多い。旅行上の制限により、親が、長旅の間子供を退屈させないために十分な玩具を機内持ち込みバッグに詰め込むことは難しい。加えて、幼い子供はすぐに車、航空機、列車またはバスのシートで「もじもじ」し始める。したがって、快適であり、子供に楽しみを与えるシートパッドアセンブリを有していることが望ましい。さらに、機内持ち込み用荷物の制限に抵触しないように子供が持ち運ぶことができるシートパッドアセンブリを有していることが好ましい。
【発明の概要】
【発明が解決しようとする課題】
【０００８】
上記を考慮して、本発明の目的は、子供が使用し、持ち運ぶことができるシートアクセサリーを提供することである。
【０００９】
本発明の別の目的は、肩ストラップを備えたシートアクセサリーを提供することである。
【００１０】
本発明のさらに別の目的は、子供に楽しみを与えるシートアクセサリーを提供することである。
【課題を解決するための手段】
【００１１】
本発明は、主として航空機、列車、バスまたは車のシートなどの輸送機関のシートと共に使用するシートアクセサリーに関する。また、本発明は、シートアクセサリーに直接連結されたストラップアセンブリに関する。
【００１２】
シートアクセサリーは、パッドアセンブリを含み、このパッドアセンブリは、略矩形であってよく、好ましくは、シートの幅にほぼ対応する幅を有する。シート、したがってパッドアセンブリの幅は、旅行の形態およびクラスによって変わる可能性が高い。たとえば、エコノミーでの航空機旅行用のシートは、通常約１６インチの幅であるが、ビジネスクラスまたはファーストクラスでの航空機旅行用のシートは、通常約２０インチの幅である。子供用の車のシートは、通常１６インチ未満の幅である。前記パッドアセンブリは、対象とするシートの幅とほぼ等しい幅を有する。シートパッドアセンブリはまた、好ましくは、臀部／大腿部の支持部と、背中支持部の長さの少なくとも一部とを合わせた長さとほぼ等しい長さを有する。具体的に、エコノミークラスの航空機シートにおける成人を対象としたシートパッドアセンブリは、好ましくは、臀部／大腿部の支持部および旅行者に当接する背中支持部の少なくとも一部を覆うために約４２インチの長さであるのがよい。ビジネスクラスまたはファーストクラスのシートにおける成人用のシートパッドアセンブリは、好ましくは、臀部／大腿部の支持部および旅行者に当接する背中支持部の少なくとも一部を覆うために約６０インチの長さである。加えて、シートパッドアセンブリは、公共の旅客輸送用シートにおけるフットレストの長さとほぼ等しい長さを備えたフットレスト延長部を含んでいてもよい。当然ながら、パッドアセンブリは、旅行者の背中の全長にわたって延びている必要はなく、背中の腰部領域を覆うのに十分なパッドアセンブリが、多くの旅行者に受け入れられ得る。さらに、子供用のパッドアセンブリは、航空機のエコノミークラスのシートに関して上記で推奨した４２インチよりかなり短くなり得る。シートパッドアセンブリは、好ましくは１．０〜２．０インチの間の厚さを有し、最も好ましくは約１．００インチの厚さを有する。
【００１３】
シートパッドアセンブリは、弾力のある弾性材料でできたほぼ矩形のクッションを備える。粘弾性クッションは、シートの形状および乗客に適合する粘弾性材料の特有の能力を考慮して上記参照の米国特許第７，４６１，８９４号に記載されている好ましい材料である。しかし、粘弾性発泡体は非常に高価であり、粘弾性発泡体の特有の支持特性および適合特性は子供には必要でないことがある。したがって、子供用のクッションは、従来の発泡ゴム、ミクロビーズ、またはポリエステル、ＰＥＴＥ、ＰＬＡ、もしくはぬいぐるみ系玩具および枕に使用される他の材料から作製されてよい繊維充填材料などのそれほど高価でない材料から作製することができる。パッドは、好ましくは、上記したように、アセンブリに関する全体的な幅、長さ、および厚さの寸法に対応する幅、長さ、および厚さを有する。加えて、クッションは、好ましくは、シートの全ての位置にわたって幼い旅行者を快適に支持する密度および硬さを有し、前記シートの全ての位置には、シートの隣接する可動部間の継ぎ目、隙間、および他の挟まれる部分が含まれ、これらの部分は、少なくとも１ｃｍの幅および少なくとも１ｃｍの深さである。この点に関して、クッションの密度、硬さ、弾力性、および厚さは、望ましくは、クッションの下側領域が、空隙および他の挟まれる部分に入り込んで適合するように選択され、それによって幼い旅行者を支持するためのほぼ滑らかな表面が作り出される。さらに、クッションのこれらの密度、硬さ、弾力性、および厚さの特性は、クッションが最大に変形した場合に生じることがある底につく状態を伴うことなく、幼い旅行者の体重がクッションの上側部分によって分散され支持されることを確実にするように選択される。このようにして、クッションが厄介な挟まれる部分から幼い旅行者を隔てることが好ましい。
【００１４】
シートパッドアセンブリは、さらに、クッション材料を覆って装着されるカバーを含む。カバーの少なくとも一部分は、洗濯または取り換えのために取り外し可能であるのが好ましい。カバーは、クッション材料の保護および支持に寄与する内側スクリーン層を含んでいてもよく、内側スクリーン層は、ナイロンなどの合成材料により形成されることが好ましい。内側スクリーン層は、取り外し可能である必要はない。また、カバーは、耐流体性、耐汚れ性、抗菌性および／または放湿性を有していてもよい内側保護カバーを含んでいてもよい。内側保護カバーは、クッション材料に永久的な損傷が生じることを防ぐ。内側カバーは、洗濯または取り換えのためにクッションから内側カバーを取り外すことを可能にするジッパまたは他の閉鎖手段を有しているのが好ましい。また、カバーは、耐流体性、耐汚れ性、抗菌性および放湿性を有する材料により形成されることが好ましい外側カバーも含む。加えて、外側カバーは、乗客に快適性を与える材料により形成される。外側カバーには、あるデザイン、特に子供にとって魅力的なデザインが印刷され、刺繍され、または別の方法で施されてもよい。たとえば、外側カバーは、動物、マンガのキャラクタ、玩具または著名人に似ているデザインを有していてもよい。加えて、外側カバーは、その上に印刷され、刺繍され、または別の方法で施されたキャラクタの耳、つの、脚などを表す延長部を含んでいてもよい。外側カバーはまた、洗濯または取り換えのために外側カバーを取り外すことを可能にするジッパまたは他の閉鎖手段も有する。外側カバーの閉鎖部は、内側カバーの閉鎖部からずれた位置に設けられていてもよい。また、外側カバーは、シートパッドアセンブリを簡単に保管するために巻かれた状態で解放可能に固定する、空港または他の輸送ターミナルにおいて持ち運ぶためのストラップを含んでいてもよい。
【００１５】
シートパッドアセンブリはさらに、上端部および下端部と、上端部と下端部の間の左側部および右側部とを有する。左アームおよび右アームは、上端部と下端部の間の位置において左側部および右側部からそれぞれ延びている。各アームは、特定の幅の細長い外側チューブを有し、この外側チューブは、外側カバーと同じ材料により形成されていることが好ましい。チューブには、上述したように、ミクロビーズまたは繊維充填材などのクッション材料が充填される。左アームおよび右アームそれぞれは、パッドの左側部および右側部から遠く離れた先端部を有する。アームの先端部の領域は、アーム上のより近接位置における特定の幅よりも広い。アームの先端部の領域は、指の形状でほぼ円筒形に突出している複数の部分を有していてもよく、アームの手から指が延びている手の外観を付与することができる。また、先端部は、爪または足の形でもよく、カバーのデザインに対応させてもよい。左アームおよび右アームの少なくとも１つは、先端部の領域の近くにコネクタを有する。コネクタは、アームの一部分に固定された弾性を有する細長い片であるのが好ましい。コネクタの弾性は、先端部の領域、すなわち左アームおよび右アームのうちの他方の手が、弾性を有する細長い片とアームとの間の空間を通り抜け、第１のアームおよび第２のアームが肩ストラップとして機能し得る閉じたループを形成するように固定されることを可能にするのに十分なものである。加えて、アームは、抱き締められている感覚を子供に与えるために、シートパッドの使用中にコネクタと連結させてもよい。
【００１６】
シートパッドアセンブリは、公共の輸送機関のシートに取り外し可能に取り付ける手段を含んでいてもよい。たとえば、スナップ式の取付具を、シートバックの上部に設けられたスナップと取り外し可能に係合させるために設けることができる。他の状況では、シートパッドアセンブリには、シートベルトを受け入れるための切欠部または開口が設けられていてもよい。
【００１７】
シートパッドアセンブリは、さらに、持ち運び用バッグを含んでいてもよく、また、持ち運び用バッグと共に使用されてもよい。持ち運び用バッグは、選択的に閉じることが可能な端部を有する。選択的に閉じることが可能な端部は、フラップ、引くための紐などを有していてもよい。持ち運び用バッグは、さらに、バッグおよびシートパッドアセンブリをキャスター付き鞄に取り付け運ぶことを容易にするストラップまたはループを含んでいてもよい。しかし、別個の持ち運び用バッグは、持ち運び用ストラップとして機能するアームを考慮すると必要とされない可能性が高い。
【００１８】
シートパッドアセンブリは、乗客が空港、駅などに運ぶことができ、乗客が運ぶ機内持ち込み用荷物の１つになり得る。シートパッドアセンブリは、所望により、旅の途中、頭上のコンパートメント内に保管することができる。しかし、シートパッドアセンブリは、乗客がさらなる快適性を望む、または寝ようとするときに取り出すことができる。当然ながら、シートパッドアセンブリは、旅の間中使用することができ、多くの場合旅の間中使用することになる。シートパッドアセンブリは、シートパッドアセンブリをシート上に配置するだけで使用される。ついで、乗客は、通常の座った姿勢をとることができ、これによりパッドが所定位置に保持される。特定の輸送車両において適切または可能である場合、シートの調節つまみを使用してシートをリクライニング状態に動かすことができる。シートパッドアセンブリは、シートの可動部分間の継ぎ目および／または折目にわたって連続的に延びて最大限快適な状態にする。加えて、パッドは、乗客とアームレストの間に横方向の支持が付与されるように寸法設定することができる。
【図面の簡単な説明】
【００１９】
【図１】展開された状態のシートパッドアセンブリの平面図である。
【００２０】
【図２】コイル状に巻いた状態のシートパッドアセンブリの平面図である。
【００２１】
【図３】コイル状に巻いた状態のシートパッドアセンブリを左側から見た側面図である。
【００２２】
【図４】使用中の肩ストラップを示す、コイル状に巻いた状態のシートパッドアセンブリの斜視図である。
【００２３】
【図５】輸送機関のシートに取り付けられたシートパッドアセンブリの斜視図である。
【００２４】
【図６】本発明によるシートパッドアセンブリの一部断面の斜視図である。
【発明を実施するための形態】
【００２５】
本発明によるシートパッドアセンブリは、図１から５において番号１０によっておおまかに示されている。シートパッドアセンブリ１０は、内側クッション材料２０を含み、この内側クッション材は、ＴＥＭＰＵＲ−ＰＥＤＩＣを含むいくつかの商業的供給源から市販されているような発泡ゴム、ミクロビーズ、繊維充填材または粘弾性材料により形成され得る。シートパッドアセンブリ１０は、略矩形であり、図１に示すように、長さＬを定める対向する上端部１２および下端部１４と、幅Ｗを定める対向する左側部１６および右側部１８とを有する。長さＬおよび幅Ｗの寸法は、シートパッドアセンブリ１０が販売されている対象のシートによって変わる。特に、ファーストクラスまたはビジネスクラスの航空機のシートは、エコノミークラスの航空機のシートよりも広いことが多く、これら両方は、子供が使用する車のシートより広い。さらに、一部の公共の輸送機関のシートは、シートをリクライニングしたときに長手方向に延びるフットレストを含む。好ましい実施形態では、シートパッドアセンブリ１０は、エコノミークラスのシートの場合約１６インチ、ビジネスクラスまたはファーストクラスのシートの場合約２０インチ、子供用の車のシートの場合１６インチ未満の幅Ｗを有する。これらの幅は、対象とされるシートの幅「ｗ」の主要部分をパッド１０が占めることを可能にする。しかし、他のシートパッドアセンブリ１０は、僅かにせまくても僅かに広くてもよい。また、シートパッドアセンブリ１０の長さＬは、シートパッドアセンブリ１０が購入および販売される対象の旅行の形態またはクラスによっても変わる。好ましい実施形態では、シートパッドアセンブリ１０は、エコノミークラスの航空機シートの場合約４２インチの長さＬ、ビジネスクラスの航空機シートの場合約４６インチの長さＬ、およびファーストクラスの航空機シートの場合約６０インチの長さＬを有する。車で使用される子供用のシートを対象としたシートパッドアセンブリは、約２４インチなどのように、かなり短いものでよい。シートパッドアセンブリ１０のクッション材料２０は、図６に示すように、厚さ「Ｔ」を有する。厚さ「Ｔ」は、１．０〜１．５インチの範囲であるのが好ましく、保管および持ち運びを容易にするために約１．０インチであるのが最も好ましい。しかし、内側クッション２０を簡単に運ぶことができ、長距離の旅行の間必要な快適性を付与することができる内側クッション２０の能力はまた、クッション材料の密度によって決まる。３ポンド毎立方フィートから８ポンド毎立方フィートの密度を有し、１．０〜１．５インチの厚さＴを有する粘弾性発泡体が、簡単に運ぶことが可能でありながら、従来の航空機シートの隙間および他の表面の不連続部にわたって成人に対して快適なサポートを付与することが見出されている。しかし、５ポンド毎立方フィートの密度および１．０インチの厚さＴを備える粘弾性の内側クッション２０が、本明細書で説明したように、成人に対して非常に良好なレベルの快適性および非常に望ましい保管および持ち運び特性を付与することが見出されている。好ましい実施形態は成人を対象とせず、子供を対象にしている。したがって、非常に高価な粘弾性材料は、体重が軽い子供を考慮すると必要でないことがあり、上記で説明した安価な発泡ゴム、ミクロビーズ、または繊維充填材で十分になり得る。
【００２６】
シートパッドアセンブリ１０は、さらに、クッション材料２０をほぼ完全に取り囲むカバーアセンブリ２２を含む。この点に関して、クッション材料２０は、旅行者が長時間直接的に接触するには快適なものではない。加えて、たいていのクッション材料２０は、染みまたは汚れへの抵抗性の点では適しておらず、何度かの使用後見ばえが悪くなり得る。さらに、たいていのクッション材料は、清潔にしても外観上魅力的ではない。他方で、カバーアセンブリ２２は、旅行者が長時間直接接触するのに快適である比較的安価な材料から作製することができる。
【００２７】
カバーアセンブリ２２は、クッション材料２０を完全に取り囲む内側スクリーン層２４を含んでいてもよい。内側スクリーン層２４は、ナイロンなどの合成繊維により形成された細いゲージのメッシュであるのが好ましく、このメッシュは、洗濯、補修、または取り換えのためにカバーアセンブリ２２の他の部分を取り外すときにクッション材料２０を保護する。
【００２８】
カバーアセンブリ２２はさらに、内側スクリーン層２４およびクッション材料２０を覆って取り外し可能に装着される内側カバー２６を含んでいてもよい。内側カバー２６は、綿および合成繊維の混合物により作製されたニットの布地などのように、放湿性および抗菌性の特性を有する耐流体性、耐汚れ性の材料により形成されていてもよい。加えて、内側カバー２６は、内側カバー２６の１つの端縁部および隣接する側縁部にわたって延びるジッパなどの内側閉鎖部を含む。内側閉鎖部は、洗濯、補修または取り換えのために内側カバー２６をクッション材料２０から分離することを可能にする。
【００２９】
カバーアセンブリ２２は、さらに、クッション材料２０および設けられることがある任意の内側カバーを覆って取り外し可能に装着される外側カバー２８を含む。外側カバー２８は、放湿性および抗菌性の特性を有する耐流体性、耐汚れ性の材料により形成される。たとえば、外側カバー２２は、綿織物布地（３００〜１０００スレッドカウント）、長期間の接触後でも丈夫で快適であるブラッシュニット布地、またはたとえばポリエステルから作製され、毛皮もしくは毛髪に似た長い繊維もしくは高いブラッシュパイルを有するフラシ天製のポリエステルもしくはフリース布地により形成することができる。さらに、外側カバー２２は、外観上魅力的なものにされ、しるしまたはデザインを印刷、刺繍または別の方法で施され得る。より具体的には、外側カバーは、動物、マンガのキャラクタ、玩具または著名人のデザインを有することができる。たとえば、図示する実施形態は目、口、およびつのを有する。他の実施形態は、適切な周囲の位置に耳、脚または翼を含み得る。このようにして、アセンブリ１０は子供により魅力的なものになり得る。
【００３０】
外側カバー２８は、外側カバー２８における１つの側縁部の主要部に沿って延びるジッパなどの外側閉鎖部を含む。外側閉鎖部は、洗濯、補修または取り換えのために外側カバー２８をクッション材料２０および内側カバー２６から分離することを可能にする。
【００３１】
２本のストラップ３０が、アセンブリの上端部に隣接する外側カバー２８の部分に固定されている。各ストラップ３０の一部分は、外側カバー２８に縫い付けられ、または別の方法で外側カバー２８に固定され、一方でストラップの自由端部は、カバーに固定された対をなす留め具に取り付け可能な留め具を有していてもよい。好ましい実施形態では、ストラップ３０は、弾性を備える内部と、アセンブリ１０の外側カバー２８に外観的に類似する外側カバー３４とを有する。アセンブリは、下端部１２から上端部１４に向かって巻かれて、図２および図３に示すような巻かれたコイル６０を形成することができ、ストラップ３０は、アセンブリをきつく巻かれた状態に保持するために使用され得る。
【００３２】
シートパッドアセンブリ１０はまた、上端部１２および下端部１４から離れた位置において左側部１６および右側部１８それぞれから外側に延びるほぼ管状の左右のアーム４０、４６を有する。アーム４０、４６は、ミクロビーズまたは繊維充填材により作製されることが好ましいフレキシブルな内部と、パッドアセンブリ１０の外側カバー２８に外観上類似するまたはこれと同一である管状カバー３９とを有する。各アーム４０、４６の管状カバー３９は、その長さの殆どにおいてほぼ一定の第１の幅を有する。しかし、アームは、アセンブリの左側部１６および右側部１８から遠く離れた先端部４２、４８を有する。先端部４２、４８は、第１の幅より大きい第２の幅を有する。先端部４２、４８は、多くの形をとり得る。好ましい実施形態では、図１に示すように、先端部４２、４８は、指４４付きの手の形である。先端部４２、４８は、爪または足の形をとることもでき、外側カバー２２の他のデザイン要素に対応するのがよい。
【００３３】
右アーム４０は、先端部４２の近くに形成されたコネクタ５０を有する。コネクタ５０は多くの形をとり得る。好ましい実施形態では、コネクタ５０は、右アーム４０における先端部４２の近くに取り外せないように結合された端部を有する弾性ループである。アセンブリ１０がストラップ３０によって巻かれた状態に保持された際に、左右のアーム４０、４６は、コネクタ５０を利用して先端部４２、４８が連結されて肩ストラップ５４を作り出すことができる。より具体的には、好ましいコネクタ５０の弾性は、右アーム４０のコネクタ５０を対向する先端部４８の周りで十分拡張させ、次いで対向するアーム４６の周りで収縮させ、それによって図２および３に示すように、手または足が互いに握り合う印象を与えるのに十分なものである。先端部４２、４８は、ループ状態で保持され、それによって図４に示すように、持ち運び用肩ストラップ５４を形成する。加えて、アセンブリがシート上で展開された状態で先端部４２、４８を係合させることで、シートに座っている子供をアーム４０、４６が抱き締めている印象を与えることができる。コネクタ５０は、アーム４０、４６を連結する構造の一例である。面ファスナ、スナップ、ボタンなどもまた使用されてもよい。
【００３４】
シートパッドアセンブリ１０は、コネクタ５０を拡張させて、連結された先端部４２、４８をコネクタ５０から分離させて取り出すことによって使用される。ついで、ストラップ３０が広げられ、シートパッドアセンブリ１０は、図２の状態から図１の状態に展開される。ついで、広げられたシートパッドアセンブリ１０は、実質的に図５に示されるように、シート１００上に配置される。より具体的には、シートパッドアセンブリ１０の１つの長手方向端部が、シートの背中支持部１０６の上部近くに配置され得る。シートパッドアセンブリ１０の残りの部分は、背中支持部１０６の上部から臀部／大腿部の支持部１０２と背中支持部１０６の間の隙間１０８を超えて、レッグレスト１１０に向かってまたはそこに至るように延びる。ストラップ３０は、シートパッドアセンブリ１０の安定性を確保するために背中支持部１０６に取り付けられてもよい。レッグレスト１１０に至るまたはそこに向かうシートパッドアセンブリ１０の範囲は、シート１００の長さ「ｌ」に対するパッドアセンブリ１０の全体長さＬによって決まる。好ましい実施形態では、シートパッドアセンブリ１０は、臀部／大腿部の支持部１０２から最も遠くのレッグレスト１１０の端部まで完全に延びるのに十分に長い。上記で指摘したように、シートパッドアセンブリ１０の幅Ｗは、好ましくは１４〜２０インチの幅であり、したがって好ましくない隆起または突起を作り出す可能性がない状態でシート１００のアームレスト１０４の間に使い勝手よくフィットする。
【００３５】
本発明を好ましい実施形態に関して説明してきたが、添付の特許請求の範囲によって定義される本発明の範囲から逸脱することなく、さまざまな変更を加えることができることは明らかである。この点に関して、旅行者の好みやシートの寸法にしたがって、さまざまな長さ、幅、および厚さの寸法を付与することができる。
【００３６】
矩形のシートパッドアセンブリ１０によって、様々な費用効果および持ち運びの効率性が得られる。しかし、非矩形のパッドを提供することもできる。たとえば、シートベルトがシートから延びる領域に切欠部を設けることができる。加えて、膝および下肢に隣接する領域を、臀部または肩に隣接する領域より狭くすることができる。
【００３７】
弾性ストラップ３０を好ましい実施形態で図示してきた。しかし、パッドアセンブリ１０を巻かれた状態に保持するために、面ファスナなどの他の形態のストラップを設けることもできる。
【００３８】
パッドアセンブリ１０にはさらに、パッドアセンブリ１０をシート１００の背中支持部１０６の上側部分に取り外し可能に固定するための構造が設けられてもよい。これらの取り付け形状は、ストラップ、スナップなどになり得る。
【００３９】
これらの変形形態などは、本開示を読み終えた当業者にとって明らかである。
【図１】
2012232119.tif 000003
【図２】
2012232119.tif 000004
【図３】
2012232119.tif 000005
【図４】
2012232119.tif 000006
【図５】
2012232119.tif 000007
【図６】
2012232119.tif 000008
【外国語明細書】
2012232119.tif 000009
2012232119.tif 000010
2012232119.tif 000011
2012232119.tif 000012
2012232119.tif 000013
2012232119.tif 000014
2012232119.tif 000015
2012232119.tif 000016
2012232119.tif 000017
2012232119.tif 000018
2012232119.tif 000019
2012232119.tif 000020
2012232119.tif 000021
2012232119.tif 000022
2012232119.tif 000023
2012232119.tif 000024
2012232119.tif 000025
2012232119.tif 000026
2012232119.tif 000027
Representative Drawing
Fig.1
2012232119.tif 000028
2012232119.tif 000029
2012232119.tif 000030
2012232119.tif 000031